(57)【要約】【課題】  符号化されたビデオデータの編集を行う際に、符号化データを一旦復号化して、接続部分を再符号化する、複雑な処理を必要とせず、再符号化による画質劣化を防止することのできるビデオデータ編集方法を提供すること。【解決手段】  第１のビデオデータの削除候補位置を指定する第１のステップＳ１０１によって指定されたピクチャの切れ目から、ビデオデータを削除する第２のステップＳ１０５でビデオデータを削除し、削除後の最終ＶＯＢＵに対して、ＶＯＢＵ再生期間を検出する第３のステップＳ１０２でＶＯＢＵ再生期間を検出し、検出されたＶＯＢＵ再生期間１２０と、閾値１２１とを比較する第４のステップＳ１０３で比較し、閾値の方が大きい時はビデオデータを挿入する第５のステップＳ１０６で、あらかじめ用意したビデオデータを挿入し、ビデオデータを接続する第６のステップＳ１０８で、別のビデオデータと接続して１本のビデオデータにする。【選択図】      図１
2005218051.tif 000002
【特許請求の範囲】
【請求項１】
ビデオデータを編集する方法であって、
ユーザの指す第１のビデオデータのピクチャの切れ目で、削除候補位置を指定するステップと、
前記ユーザが指定するピクチャの切れ目から後ろの前記第１のビデオデータを削除する第２のステップと、
削除後の第１のビデオデータの最終ＶＯＢＵ（Video Object Unit）再生期間を検出するステップと、
検出された前記最終ＶＯＢＵ再生期間と閾値とを比較するステップと、
前記ＶＯＢＵ再生期間が前記閾値よりも小さい時に、あらかじめ用意した符号化データを前記閾値以上の再生期間になるように、前記削除後の第１のビデオデータの最終部分に挿入するステップと、
前記削除後の第１のビデオデータの最終部分にあらかじめ用意した符号化データを挿入したビデオデータと、第２のビデオデータとを接続するステップと、
を含むことを特徴とするビデオデータ編集方法。
【請求項２】
請求項１記載のビデオデータ編集方法において、
前記閾値は、ビデオデータの規格で決められた最小ＶＯＢＵ再生期間以上、最大ＶＯＢＵ再生期間以内である、
ことを特徴とするビデオデータ編集方法。
【請求項３】
請求項１記載のビデオデータ編集方法において、
前記あらかじめ用意したビデオデータは、
前記削除候補位置から削除された第１のビデオデータの最終ＶＯＢＵ内の前方に配置された前方予測符号化画像と同じデコード結果が得られるデータである、
ことを特徴とするビデオデータ編集方法。
【請求項４】
ビデオデータを編集する方法であって、
ユーザの指す第１のビデオデータのピクチャの切れ目で、削除候補位置を指定するステップと、
前記削除候補位置を指定するステップで指定された箇所を含む、ＶＯＢＵ（Video Object Unit）の再生期間を検出するステップと、
前記検出されたＶＯＢＵ再生期間と、第１の閾値とを比較するステップと、
前記検出されたＶＯＢＵ再生期間が前記第１の閾値より小さい時は、前記検出されたＶＯＢＵ再生期間と第２の閾値とを比較するステップと、
前記検出されたＶＯＢＵ再生期間が前記第２の閾値よりも小さい時に、前記削除候補位置の後ろに、あらかじめ用意された符号化ビデオデータを挿入するステップと、
前記検出されたＶＯＢＵ再生期間が前記第１の閾値、または第２の閾値よりも大きい場合は、前記指定された削除候補位置においてビデオデータを削除するステップと、
前記削除処理された第１のビデオデータもしくは、前記ビデオデータが挿入処理された第１のビデオデータと、第２のビデオデータとを１本のビデオデータに接続するステップと、
を含むことを特徴とするビデオデータ編集方法。
【請求項５】
請求項４記載のビデオデータ編集方法において、
ビデオデータを削除するステップは、検出されたＶＯＢＵ再生期間と前記第１の閾値とを比較するステップの結果、上記第１のビデオデータを削除するときは、削除候補位置を指定するステップでユーザに指定されたピクチャから後ろを削除し、
前記検出されたＶＯＢＵ再生期間と第２の閾値とを比較するステップの結果、前記第１のビデオデータを削除するときは、前記削除候補位置を指定するステップでユーザに指定された位置を含むＶＯＢＵの先頭から削除する、
ことを特徴とするビデオデータ編集方法。
【請求項６】
請求項５記載のビデオデータ編集方法において、
前記第１の閾値は、ビデオデータの規格で決められた最小ＶＯＢＵ再生期間以上、最大ＶＯＢＵ再生期間以内であり、前記第２の閾値は、最小ＶＯＢＵ再生期間未満の値とする、
ことを特徴とするビデオデータ編集方法。
【発明の詳細な説明】
【技術分野】
【０００１】
本発明はビデオデータ編集方法において、特に、符号化データの編集に関し、任意のピクチャの切れ目で符号化データを切り取ったものと、別の符号化データとを接続させる時に必要となる編集方法を提供することを目的とする。
【背景技術】
【０００２】
複数のビデオデータを編集再生する方法の従来の例として、特許文献１に記載されているような方法が紹介されている。
【０００３】
ＤＶＤ等の規格では、ＶＯＢ（Video Object）と呼ばれる単位があり、いくつかのＶＯＢＵ（Video Object Unit）で構成されている。
【０００４】
ＶＯＢＵは、その再生時間が約０．４〜１．０秒となるビデオデータからなる少なくとも１つ以上のＧＯＰ（Group of Pictures）と、このビデオデータと共に多重化されているオーディオデータを含む単位であり、たとえ１つのＶＯＢＵが削除されたとしても、その前後におけるＶＯＢＵは、ＧＯＰ単位にビデオデータが存在し、その先頭に１ピクチャが挿入されているので、正常なデコード及び再生が可能になっている。
【０００５】
しかし、ある番組中のＣＭを削除するというような形式の編集を行う時は、ＶＯＢＵの途中での編集作業を行うこともあり、ＧＯＰの再構築をするために、ＣＭの直前のＶＯＢＵと、ＣＭ直後のＶＯＢＵとを読み出して、デコードし、デコードしたデータに対して、再エンコードをするという処理を行なっていた。
【特許文献１】特許第３０５０３１７号公報
【発明の開示】
【発明が解決しようとする課題】
【０００６】
従来のビデオデータ編集方法は以上のように構成されており、２つのビデオデータを１本のビデオデータに接続する時、ＶＯＢＵの途中で編集作業を行う場合、ＧＯＰ構造を再構築するために、再結合する際の符号化データの最後と最初の部分をデコードし、再生画像を参照画像として再エンコードするといった複雑な処理が必要であり、再符号化することによって、画質の劣化が生じるという問題点があった。
【０００７】
本発明は以上のような問題点を解消するためになされたもので、２つのビデオデータを１本のビデオデータに接続する時、ＶＯＢＵの途中で編集作業を行っても、複雑な処理を行うことなく、また画質劣化が起こらないビデオデータの編集方法を提供することを目的とする。
【課題を解決するための手段】
【０００８】
本発明の請求項１にかかるビデオデータ編集方法は、ビデオデータを編集する方法であって、ユーザの指す第１のビデオデータのピクチャの切れ目で、削除候補位置を指定するステップと、前記ユーザが指定するピクチャの切れ目から後ろの前記第１のビデオデータを削除する第２のステップと、削除後の第１のビデオデータの最終ＶＯＢＵ（Video Object Unit）再生期間を検出するステップと、検出された前記最終ＶＯＢＵ再生期間と閾値とを比較するステップと、前記ＶＯＢＵ再生期間が前記閾値よりも小さい時に、あらかじめ用意した符号化データを前記閾値以上の再生期間になるように、前記削除後の第１のビデオデータの最終部分に挿入するステップと、前記削除後の第１のビデオデータの最終部分にあらかじめ用意した符号化データを挿入したビデオデータと、第２のビデオデータとを接続するステップと、を含むことを特徴とするものである。
【０００９】
本発明の請求項２にかかるビデオデータ編集方法は、請求項１記載のビデオデータ編集方法において、前記閾値は、ビデオデータの規格で決められた最小ＶＯＢＵ再生期間以上、最大ＶＯＢＵ再生期間以内である、ことを特徴とするものである。
【００１０】
本発明の請求項３にかかるビデオデータ編集方法は、請求項１記載のビデオデータ編集方法において、前記あらかじめ用意したビデオデータは、前記削除候補位置から削除された第１のビデオデータの最終ＶＯＢＵ内の前方に配置された前方予測符号化画像と同じデコード結果が得られるデータである、ことを特徴とするものである。
【００１１】
本発明の請求項４にかかるビデオデータ編集方法は、ビデオデータを編集する方法であって、ユーザの指す第１のビデオデータのピクチャの切れ目で、削除候補位置を指定するステップと、前記削除候補位置を指定するステップで指定された箇所を含む、ＶＯＢＵ（Video Object Unit）の再生期間を検出するステップと、前記検出されたＶＯＢＵ再生期間と、第１の閾値とを比較するステップと、前記検出されたＶＯＢＵ再生期間が前記第１の閾値より小さい時は、前記検出されたＶＯＢＵ再生期間と第２の閾値とを比較するステップと、前記検出されたＶＯＢＵ再生期間が前記第２の閾値よりも小さい時に、前記削除候補位置の後ろに、あらかじめ用意された符号化ビデオデータを挿入するステップと、前記検出されたＶＯＢＵ再生期間が前記第１の閾値、または第２の閾値よりも大きい場合は、前記指定された削除候補位置においてビデオデータを削除するステップと、前記削除処理された第１のビデオデータもしくは、前記ビデオデータが挿入処理された第１のビデオデータと、第２のビデオデータとを１本のビデオデータに接続するステップと、を含むことを特徴とするものである。
【００１２】
本発明の請求項５にかかるビデオデータ編集方法は、請求項４記載のビデオデータ編集方法において、ビデオデータを削除するステップは、検出されたＶＯＢＵ再生期間と前記第１の閾値とを比較するステップの結果、上記第１のビデオデータを削除するときは、削除候補位置を指定するステップでユーザに指定されたピクチャから後ろを削除し、前記検出されたＶＯＢＵ再生期間と第２の閾値とを比較するステップの結果、前記第１のビデオデータを削除するときは、前記削除候補位置を指定するステップでユーザに指定された位置を含むＶＯＢＵの先頭から削除する、ことを特徴とするものである。
【００１３】
本発明の請求項６にかかるビデオデータ編集方法は、請求項５記載のビデオデータ編集方法において、前記第１の閾値は、ビデオデータの規格で決められた最小ＶＯＢＵ再生期間以上、最大ＶＯＢＵ再生期間以内であり、前記第２の閾値は、最小ＶＯＢＵ再生期間未満の値とする、ことを特徴とするものである。
【発明の効果】
【００１４】
本発明の請求項１にかかるビデオデータの編集方法によれば、ビデオデータを編集する方法であって、ユーザの指す第１のビデオデータのピクチャの切れ目で、削除候補位置を指定するステップと、前記ユーザが指定するピクチャの切れ目から後ろの前記第１のビデオデータを削除する第２のステップと、削除後の第１のビデオデータの最終ＶＯＢＵ（Video Object Unit）再生期間を検出するステップと、検出された前記最終ＶＯＢＵ再生期間と閾値とを比較するステップと、前記ＶＯＢＵ再生期間が前記閾値よりも小さい時に、あらかじめ用意した符号化データを前記閾値以上の再生期間になるように、前記削除後の第１のビデオデータの最終部分に挿入するステップと、前記削除後の第１のビデオデータの最終部分にあらかじめ用意した符号化データを挿入したビデオデータと、第２のビデオデータとを接続するステップと、を含むものとしたので、符号化されているビデオデータを復号化して再エンコードをするといった複雑な処理や、装置を必要とすることなくビデオデータの接続が可能となる。また、再エンコードをしてビデオストリームを接続しないため、画質の劣化を防ぐことができる効果がある。
【００１５】
また、本発明の請求項２にかかるビデオデータ編集方法によれば、請求項１記載のビデオデータ編集方法において、前記閾値は、ビデオデータの規格で決められた最小ＶＯＢＵ再生期間以上、最大ＶＯＢＵ再生期間以内である、こととしたので、第１のビデオデータの削除候補位置におけるＶＯＢＵの途中で編集を行なっていることが検出でき、当該部分に所定の符号化データを挿入することにより、符号化されているビデオデータを復号化して再エンコードをするといった複雑な処理や、装置を必要とすることなくビデオデータの接続を行うことができる効果がある。
【００１６】
また、本発明の請求項３にかかるビデオデータ編集方法によれば、請求項１記載のビデオデータ編集方法において、前記あらかじめ用意したビデオデータは、前記削除候補位置から削除された第１のビデオデータの最終ＶＯＢＵ内の前方に配置された前方予測符号化画像と同じデコード結果が得られるデータである、ものとしたので、削除後の第１のビデオデータの最終に追加された符号化データ部分を再生した際に、画面の連続性が保たれ、違和感なく再生を行なうことができる効果がある。
【００１７】
また、本発明の請求項４にかかるビデオデータ編集方法によれば、ビデオデータを編集する方法であって、ユーザの指す第１のビデオデータのピクチャの切れ目で、削除候補位置を指定するステップと、前記削除候補位置を指定するステップで指定された箇所を含む、ＶＯＢＵ（Video Object Unit）の再生期間を検出するステップと、前記検出されたＶＯＢＵ再生期間と、第１の閾値とを比較するステップと、前記検出されたＶＯＢＵ再生期間が前記第１の閾値より小さい時は、前記検出されたＶＯＢＵ再生期間と第２の閾値とを比較するステップと、前記検出されたＶＯＢＵ再生期間が前記第２の閾値よりも小さい時に、前記削除候補位置の後ろに、あらかじめ用意された符号化ビデオデータを挿入するステップと、前記検出されたＶＯＢＵ再生期間が前記第１の閾値、または第２の閾値よりも大きい場合は、前記指定された削除候補位置においてビデオデータを削除するステップと、前記削除処理された第１のビデオデータもしくは、前記ビデオデータが挿入処理された第１のビデオデータと、第２のビデオデータとを１本のビデオデータに接続するステップと、を含むものとしたので、符号化されているビデオデータを復号化して再エンコードをするといった複雑な処理や、装置を必要とすることなくビデオデータの接続が可能となる。また、再エンコードをしてビデオストリームを接続しないため、画質の劣化を防ぐことができる効果がある。
【００１８】
また、本発明の請求項５にかかるビデオデータ編集方法によれば、請求項４記載のビデオデータ編集方法において、ビデオデータを削除するステップは、検出されたＶＯＢＵ再生期間と前記第１の閾値とを比較するステップの結果、上記第１のビデオデータを削除するときは、削除候補位置を指定するステップでユーザに指定されたピクチャから後ろを削除し、前記検出されたＶＯＢＵ再生期間と第２の閾値とを比較するステップの結果、前記第１のビデオデータを削除するときは、前記削除候補位置を指定するステップでユーザに指定された位置を含むＶＯＢＵの先頭から削除する、ものとしたので、削除処理がＶＯＢＵの途中で行なわれることがなく、符号化されているビデオデータを復号化して再エンコードをするといった複雑な処理や、装置を必要とすることなくビデオデータの接続を行うことができる効果がある。
【００１９】
また、本発明の請求項６にかかるビデオデータ編集方法によれば、請求項５記載のビデオデータ編集方法において、前記第１の閾値は、ビデオデータの規格で決められた最小ＶＯＢＵ再生期間以上、最大ＶＯＢＵ再生期間以内であり、前記第２の閾値は、最小ＶＯＢＵ再生期間未満の値とする、ものとしたので、ビデオデータの削除、挿入処理をスムーズに行なうことができ、また再エンコードの必要がなく、単純な構成でビデオデータを編集することができる効果がある。
【発明を実施するための最良の形態】
【００２０】
（実施の形態１）
図１は本発明の実施の形態１にかかるビデオデータの編集方法のフローチャートを示す図である。図２は本実施の形態１にかかるビデオデータの編集方法による補助的な説明を行なうための、データ構造を示す図である。実施の形態１では、あるビデオデータの不必要な部分を削除して、別のビデオデータと接続し、１本のビデオデータに編集する時の方法について説明する。
【００２１】
図３に図１のフローチャートの操作に沿ったビデオ編集装置の構成の一例を示す。図３の例では、ビデオデータ削除手段３０３、ピクチャカウント手段（ＶＯＢＵ再生期間検出手段）３０５、ビデオデータ挿入決定手段３０７、あらかじめ用意されたビデオデータを保存する記憶装置（ＲＡＭ）３０９、ビデオデータ編集手段３１１、ビデオデータ接続手段３１４とから構成される。
【００２２】
ステップＳ１００においてフローがスターとすると、削除候補位置を指定する第１のステップＳ１０１では、ビデオデータ削除手段３０３は、入力された第１のビデオデータ３０１の中で、指定位置から削除してもいい箇所をユーザ指定情報３０２によって指定する。
【００２３】
ビデオデータを削除する第２のステップＳ１０５では、ビデオデータ削除手段３０３で、指定された位置から図２の削除したい部分２０２を第１のビデオデータ３０１から削除し、削除後の第１のビデオデータ３０４を出力する。
【００２４】
ＶＯＢＵ再生期間を検出する第３のステップＳ１０２では、削除後の第１のビデオデータ３０４の最終ＶＯＢＵ２０５の再生期間をＶＯＢＵ再生期間検出手段３０５で検出する。ＶＯＢＵの再生期間検出期間３０５ではピクチャの枚数をカウントし、ＶＯＢＵの再生期間３０６として出力する。
【００２５】
比較をする第４のステップＳ１０３では、得られた上記ＶＯＢＵ再生期間３０６と設定された閾値３１６とを比較して、ビデオデータ挿入決定手段３０７で、何枚分のビデオデータを挿入するかを決めて、挿入枚数情報３０８を出力する。ここで閾値３１６より、ＶＯＢＵ再生期間が大きい時は、挿入枚数０枚とする。つまり、このときビデオデータを挿入する第５のステップＳ１０６では、ビデオデータは挿入されないことになる。
【００２６】
ビデオデータを挿入する第５のステップＳ１０６では、挿入枚数情報に従って、あらかじめ用意されたビデオデータを蓄積する記憶装置３０９から追加するビデオデータ３１０をビデオデータ編集手段３１１で削除後の第１のビデオデータ３０４に付加し、編集後の第１のビデオデータ３１２として出力する。
【００２７】
ここで、上記あらかじめ用意されたビデオデータ３１０としては、前方に配置された前方予測符号化画像と同じデコード結果が得られるデータを用意しておく。
【００２８】
ビデオデータを接続する第６のステップＳ１０８では、編集後の第１のビデオデータ３１２と、第２のビデオデータ３１３とをビデオデータ接続手段３１４で接続して、接続されたビデオデータ３１５を出力する。
【００２９】
上記ＶＯＢＵ再生期間検出手段３０５で出力されるＶＯＢＵ再生期間３０６はピクチャの枚数を出力しても、時間に変換して出力してもよく、１枚は、１／３０秒で計算すればよい。
【００３０】
同様に、ビデオデータ挿入決定手段３０７に入力される閾値３１６も、ＶＯＢＵ再生期間の単位に合わせるようにする。閾値３１６の値は、ＤＶＤ規格の最小ＶＯＢＵ再生期間である０．４秒以上、最大再生期間の１秒以内で設定すればよい。ピクチャの枚数で設定する場合は１２枚以上、３０枚以内で設定すればよい。以上のように、符号化データのまま、編集を行うため、再エンコードを必要とせず、構成が単純である。
【００３１】
このように本実施の形態１にかかるビデオデータ編集方法によれば、削除後の第１のビデオデータ３０４の最終ＶＯＢＵ２０５の再生期間をＶＯＢＵ再生期間検出手段３０５によって検出し、該再生期間が最大ＶＯＢＵ再生期間以内かつ最小ＶＯＢＵ再生期間以上の値よりも小さい場合には、前方に配置された前方予測符号化画像と同じデコード結果が得られるビデオデータ３１０を削除後の第１のビデオデータ３０４の後方に追加してから、第２のビデオデータ３１３を結合するようにしたので、編集後のデータ結合時に符号化されているビデオデータを一旦復号化して再エンコードをするといった複雑な処理や、装置を必要とすることがない。
【００３２】
また、再エンコードをしてビデオストリームを接続しない方式のため、画質の劣化を防ぐことが可能である。
【００３３】
（実施の形態２）
図４は本発明の実施の形態２にかかるビデオデータ編集方法のフローチャートを示す図である。図５は図４のフローチャートの操作に沿ったビデオ編集装置の構成の一例を示す図である。図５の例ではＶＯＢＵ再生期間検出手段３０５、ビデオデータ挿入削除決定手段５０２、ビデオデータ編集手段５０４、あらかじめ用意されたビデオデータを保存する記憶装置（ＲＡＭ）３０９、ビデオデータ接続手段３１４とで構成されている。
【００３４】
ステップＳ４００においてフローがスタートすると、削除候補位置を指定する第１のステップＳ４０１では、入力された第１のビデオデータ３０１の中で、指定位置から削除してもいい箇所をユーザから指定されるユーザ指定情報３０２によって指定する。
【００３５】
ＶＯＢＵ再生期間を検出する第２のステップＳ４０２では、削除を指定された位置を含むＶＯＢＵの先頭から指定位置までのＶＯＢＵ再生期間３０６をＶＯＢＵ再生期間検出手段３０５で検出する。
【００３６】
第１の比較をする第３のステップであるステップＳ４０３では、ビデオデータ挿入削除決定手段５０２で、第１の閾値５０７とＶＯＢＵ再生期間３０６とを比較する。
（ＶＯＢＵ再生期間３０６）−（第１の閾値５０７）＞＝０    （式１）
（ＶＯＢＵ再生期間３０６）−（第１の閾値５０７）＜０      （式２）
【００３７】
上記式１が満たされる時は、ビデオデータを挿入しなくてもいいため、編集情報５０３として０枚のピクチャデータを挿入する０という情報を出力する。
【００３８】
一方、式２が満たされる時は、第２の比較をする第４のステップであるステップＳ４０４で、同じくビデオデータ挿入削除決定手段５０２で第２の閾値５０１とＶＯＢＵ再生期間３０６とを比較する。
（ＶＯＢＵ再生期間３０６）−（第２の閾値５０１）＞＝０    （式３）
（ＶＯＢＵ再生期間３０６）−（第２の閾値５０１）＜０      （式４）
【００３９】
上記式３が満たされる時は、ビデオデータを挿入する。挿入する枚数は上記式２の結果分必要になるため、上記式２の結果を編集情報５０３として出力する。
【００４０】
一方、上記式４が満たされる時は、削除を指定された位置を含むＶＯＢＵを丸ごと削除するよう、編集情報５０３として出力する。
【００４１】
ビデオデータを削除する第５のステップ（ステップＳ４０５）とビデオデータを挿入する第６のステップ（ステップＳ４０６）では、上記編集情報５０３の指示どおりに、第１のビデオデータ３０１に対してビデオデータの削除、挿入をビデオデータ編集手段５０４で実施する。ここでも、挿入するビデオデータはあらかじめ記憶装置３０９に用意されたビデオデータ３１０を挿入する。
【００４２】
ビデオデータを接続する第７のステップ（ステップＳ４０８）では、ビデオデータ編集手段５０４で編集された編集後の第１のビデオデータ５０５と第２のビデオデータ３１３とをビデオデータ接続手段３１４で接続し、１本の接続されたビデオデータ５０６として、出力し、次いでフローを終了する（ステップＳ４０９）。
【００４３】
あらかじめ用意されたビデオデータ３１０は上記実施の形態１と同様、前方に配置された前方予測符号化画像と同じデコード結果が得られるデータを用意しておく。
【００４４】
また、第１の閾値５０７の値は、上記実施の形態１の閾値３１６とＤＶＤ規格の最小ＶＯＢＵ再生期間である０．４秒以上、最大再生期間の１秒以内で設定すればよい。また、ピクチャの枚数で設定する場合は１２枚以上、３０枚以内で設定すればよい。
【００４５】
さらに、第２の閾値５０１は０．４秒未満の値か、１１枚以下で与えてやる。
【００４６】
以上のように、本実施の形態２にかかるビデオデータ編集方法によれば、第１のビデオデータ３０１に対して削除が指定された位置を含むＶＯＢＵの先頭から指定位置までのＶＯＢＵ再生期間３０６をＶＯＢＵ再生期間検出手段３０５で検出し、ビデオデータ挿入削除決定手段５０２で、第１の閾値５０７である最大ＶＯＢＵ再生期間以内かつ最小ＶＯＢＵ再生期間以上の値よりも大きい場合には、前記第１のビデオデータ３０１に対して指定された削除位置でビデオデータの削除を行い、一方、第１の閾値５０７である最大ＶＯＢＵ再生期間以内かつ最小ＶＯＢＵ再生期間以上の値よりも小さい場合には、さらに第２の比較にて、該ＶＯＢＵ再生期間３０６が第２の閾値である最小ＶＯＢＵ再生期間と比較を行い、ＶＯＢＵ再生期間３０６が第２の閾値よりも小さい場合には、前方に配置された前方予測符号化画像と同じデコード結果が得られるビデオデータ３１０を削除後の第１のビデオデータ３０４の後方に追加してから、第２のビデオデータ３１３を結合するようにしたので、編集後のデータ結合時に符号化されているビデオデータを一旦復号化して再エンコードをするといった複雑な処理や、装置を必要とすることがない。
【００４７】
また、符号化データのまま適応的にビデオデータを削除したり挿入したりすることができ、再エンコードを必要とせず、画質の劣化がなく、単純な構成で編集が可能である。
【００４８】
上で述べる実施の形態では、２本のビデオデータを接続する場合ついて述べたが、複数のビデオデータを１本のビデオデータに接続することも、もちろん可能である。
【産業上の利用可能性】
【００４９】
本発明に掛かるビデオデータ編集方法は、削除後のビデオデータの最終ＶＯＢＵの再生期間を検出し、該再生期間が最大ＶＯＢＵ再生期間以内かつ最小ＶＯＢＵ再生期間以上の値よりも小さい場合には、前方に配置された前方予測符号化画像と同じデコード結果が得られるビデオデータを削除後のビデオデータの後方に追加してから、接続相手となるビデオデータと結合するようにしたので、複雑な処理がなく、ＤＶＤ等のビデオデータの編集方法として有用である。また、ＶＲ規格とＤＶＤ規格のような仕様の似ているストリーム間のフォーマット変換をする場合、最終ＶＯＢＵ再生期間の規格値の違いを解決するために応用することができる。
【図面の簡単な説明】
【００５０】
【図１】本発明の実施の形態１にかかるビデオデータの編集方法のフローチャートを示す図
【図２】本発明の実施の形態１にかかるビデオデータの編集方法による補助的な説明を行なうための、データ構造を示す図
【図３】図１のフローチャートの操作に沿ったビデオ編集装置の構成の一例を示す図
【図４】本発明の実施の形態２にかかるビデオデータの編集方法のフローチャートを示す図
【図５】図４のフローチャートの操作に沿ったビデオ編集装置の構成の一例を示す図
【符号の説明】
【００５１】
１０１  削除候補位置指定
１０２  ＶＯＢＵ再生期間検出
１０３  比較
１０５  ビデオデータ削除
１０６  ビデオデータ挿入
１０８  ビデオデータ接続
２０２  削除したい部分
２０５  第１のビデオデータの最終ＶＯＢＵ
３０１  第１のビデオデータ
３０２  ユーザ指定情報
３０３  ビデオデータ削除手段
３０４  削除後の第１のビデオデータ
３０７  ビデオ挿入決定手段
３０８  挿入枚数情報
３０９  ＲＡＭ（記憶装置）
３１０  追加するビデオデータ
３１１  ビデオデータ編集手段
３１２  編集後の第１のビデオデータ
３１６  閾値
４０３  第１の比較
４０４  第２の比較
５０１  第２の閾値
５０２  ビデオデータ挿入削除手段
５０３  編集情報
５０７  第１の閾値
【図１】
2005218051.tif 000003
【図２】
2005218051.tif 000004
【図３】
2005218051.tif 000005
【図４】
2005218051.tif 000006
【図５】
2005218051.tif 000007